(57)【要約】【課題】エアーの吹付けが省スペースで可能となり、エアーの吹出方向等の調整も容易なエアー吹付機構等を提供する。【解決手段】エアー吹付機構付き照明装置４ａは、用紙２を照明する照明装置４とエアー吹付機構１０とを有する。エアー吹付機構１０は、用紙２に向かってエアー６’を吹き出すための孔を側面に有する管状のエアー吹付装置６と、照明装置４に取付けられ、エアー吹付装置６の孔の向きが管周方向に回転可能なようにエアー吹付装置６を保持する保持具１１と、を含む。【選択図】図１
2017019110.tif 000002
【特許請求の範囲】
【請求項１】
対象物に向かってエアーを吹き出すための孔を側面に有する管状のエアー吹付装置と、
前記対象物を照明する照明装置に取付可能であり、且つ前記孔の向きが管周方向に回転可能なように前記エアー吹付装置を保持する保持具と、
を含むことを特徴とするエアー吹付機構。
【請求項２】
前記保持具は孔を有し、当該孔に前記エアー吹付装置が通されることを特徴とする請求項１記載のエアー吹付機構。
【請求項３】
前記保持具は、前記孔に通した前記エアー吹付装置を固定可能な固定部を有することを特徴とする請求項２記載のエアー吹付機構。
【請求項４】
対象物を照明する照明装置とエアー吹付機構とを有し、
前記エアー吹付機構は、
前記対象物に向かってエアーを吹き出すための孔を側面に有する管状のエアー吹付装置と、
前記照明装置に取付けられ、前記孔の向きが管周方向に回転可能なように前記エアー吹付装置を保持する保持具と、
を含むことを特徴とするエアー吹付機構付き照明装置。
【請求項５】
前記照明装置の両側に前記エアー吹付装置を配置したことを特徴とする請求項４記載のエアー吹付機構付き照明装置。
【発明の詳細な説明】
【技術分野】
【０００１】
本発明は、エアーの吹付けを行うエアー吹付機構およびこれを取付けたエアー吹付機構付き照明装置に関する。
【背景技術】
【０００２】
枚葉状の用紙へ印刷を行うものとして、図４に示すようなオフセット枚葉印刷機１００が知られている。オフセット枚葉印刷機１００は、給紙部１１０、印刷部１２０、排紙部１３０等を有する。
【０００３】
給紙部１１０は、給紙パイル１１１に収納されている用紙を１枚ずつ印刷部１２０へと搬送するものである。印刷部１２０では、複数の印刷ユニット１２０ａのそれぞれで、対応する色のインキによる印刷が行われる。印刷部１２０における印刷を終えると、用紙はコンベア等により排紙部１３０に排出され、排紙パイル１３１に積み重ねられる。
【０００４】
上記の各印刷ユニット１２０ａには、圧胴３、版胴７、ブランケット胴８、渡し胴９等のロールや、インキを供給するインキ供給装置（不図示）等が設けられる。版胴７には版板が巻装され、インキ供給装置により版板に移されたインキがブランケット胴８に転移し、圧胴３とブランケット胴８の間を走行する用紙にインキを転移させることにより用紙への印刷が行われる。渡し胴９は、印刷ユニット１２０ａ間などで用紙の搬送を行うためのものである。
【０００５】
このようなオフセット枚葉印刷機１００では、インラインで用紙の印刷絵柄の検査が行われる。この検査は、圧胴３に沿って搬送される用紙を照明装置４で照明してカメラ５で撮影し、その画像に基づき行われる。
【０００６】
圧胴３は用紙の先端を咥え爪等で咥えた状態で回転し、これにより用紙を搬送するが、用紙の後端は拘束されていないので挙動は不安定であり、用紙のバタつきによってカメラ５で撮影される画像がゆがみ、検査エラーの一因となることがある。そこで、用紙の挙動を安定させバタつきを抑えるため、エアー吹付装置６から用紙にエアーを吹き付け、用紙を圧胴３上に非接触で押さえるといったことが行われている（例えば、特許文献１、２等参照）。
【先行技術文献】
【特許文献】
【０００７】
【特許文献１】特開2006-1079号公報
【特許文献２】特許第3377628号
【発明の概要】
【発明が解決しようとする課題】
【０００８】
しかし、オフセット枚葉印刷機１００に照明装置４、カメラ５、エアー吹付装置６を個々に設置する構成では、これらの設置のための広いスペースが必要であり、圧胴３等のロール配置によってはスペースが不足するという問題があった。
【０００９】
一方、特許文献２では照明装置とエアー吹付装置が一体化されており、省スペースで設置ができる。しかし、用紙の挙動は、用紙の種類、印刷絵柄、印刷機の設定等の様々な要因により変化するため、実際の運用においてはエアーの吹出方向等の微調整が必要であり、特許文献２の機構ではこうした微調整が困難である。
【００１０】
本発明は上記の問題を鑑みてなされたもので、エアーの吹付けが省スペースで可能となり、エアーの吹出方向等の調整も容易なエアー吹付機構等を提供することを目的とする。
【課題を解決するための手段】
【００１１】
前述した課題を解決するための第１の発明は、対象物に向かってエアーを吹き出すための孔を側面に有する管状のエアー吹付装置と、前記対象物を照明する照明装置に取付可能であり、且つ前記孔の向きが管周方向に回転可能なように前記エアー吹付装置を保持する保持具と、を含むことを特徴とするエアー吹付機構である。
【００１２】
前記保持具は孔を有し、当該孔に前記エアー吹付装置が通されることが望ましい。また前記保持具は、前記孔に通した前記エアー吹付装置を固定可能な固定部を有することが望ましい。
【００１３】
第２の発明は、対象物を照明する照明装置とエアー吹付機構とを有し、前記エアー吹付機構は、前記対象物に向かってエアーを吹き出すための孔を側面に有する管状のエアー吹付装置と、前記照明装置に取付けられ、前記孔の向きが管周方向に回転可能なように前記エアー吹付装置を保持する保持具と、を含むことを特徴とするエアー吹付機構付き照明装置である。
【００１４】
また、前記照明装置の両側に前記エアー吹付装置を配置することが望ましい。
【００１５】
本発明のエアー吹付機構では、管状の小型のエアー吹付装置を照明装置に直接取付けて用いることで、照明装置とエアー吹付装置の設置に必要なスペースが小さくなり印刷機等に対する設置自由度が高く、設置に必要な印刷機等の改造も少なくて済み経済的である。加えて、保持具の孔にエアー吹付装置を通すなどしてエアー吹付装置の孔の向きを回転可能に保持させることにより、紙押さえ等の目的に応じてエアーの吹出方向を簡単に調整できる。吹出方向の調整後は、固定部によりエアー吹付装置を固定可能である。また照明装置の両側にエアー吹付装置を配置することで、より確実に対象物の挙動を安定させることができる。
【発明の効果】
【００１６】
本発明により、エアーの吹付けが省スペースで可能となり、エアーの吹出方向等の調整も容易なエアー吹付機構等を提供することができる。
【図面の簡単な説明】
【００１７】
【図１】エアー吹付機構付き照明装置４ａの配置を示す図
【図２】エアー吹付機構付き照明装置４ａを示す図
【図３】エアー吹付機構付き照明装置４ｂを示す図
【図４】オフセット枚葉印刷機１００を示す図
【発明を実施するための形態】
【００１８】
以下、図面に基づいて本発明の好適な実施形態について詳細に説明する。
【００１９】
（１．エアー吹付機構付き照明装置４ａ）
図１は本発明の実施形態に係るエアー吹付機構付き照明装置４ａの配置を示す図である。本実施形態では、前記したようにオフセット枚葉印刷機１００（図４参照）の圧胴３に沿って搬送される枚葉状の用紙２（対象物）をカメラ５で撮影し、その画像に基づいて用紙２に印刷された印刷絵柄の検査を行う。用紙２の素材、印刷絵柄等は特に問わない。
【００２０】
圧胴３は、用紙２の先端を咥え爪３１によって咥えた状態で矢印Ａに示す方向に回転することで用紙２の搬送を行う。
【００２１】
カメラ５は、圧胴３に沿って搬送される用紙２の撮影を行うものであり、本実施形態ではラインカメラが使用される。ラインカメラは、集光レンズ等のレンズとライン状に配列された複数の受光素子を有し、受光素子の配列方向を圧胴３の回転軸方向（図１の紙面法線方向に対応する）に合わせて配置される。
【００２２】
本実施形態では、エアー吹付機構付き照明装置４ａによって撮影時の用紙２の照明とエアーの吹付けが行われる。
【００２３】
エアー吹付機構付き照明装置４ａは、エアー吹付装置６を保持具１１で保持して照明装置４に取付けたものであり、照明装置４によって用紙２の照明を行うとともにエアー吹付装置６によって用紙２へとエアー６’を吹付ける。エアー吹付機構付き照明装置４ａは、長手方向を圧胴３の回転軸方向に合わせて配置される。ここでは、エアー吹付装置６と保持具１１を合わせてエアー吹付機構１０というものとする。
【００２４】
図２はエアー吹付機構付き照明装置４ａを示す図である。図２（ａ）はエアー吹付機構付き照明装置４ａの長手方向の端面を見た図であり、図２（ｂ）はエアー吹付機構付き照明装置４ａの長手方向に沿った側面を見た図である。
【００２５】
照明装置４は、蛍光灯等の光源４１と、反射ミラー等の反射部４２を筐体４０内に収めたものである。しかしながら、照明装置４がこれに限ることはない。
【００２６】
本実施形態では、照明装置４の左右両側の側面にエアー吹付装置６が配置される。エアー吹付装置６は、内径φ15mm程度の金属パイプ等により管状に形成された小型のエアーブロー装置であり、工場等の圧縮空気を長手方向の両端から供給することにより、管側面に設けた小さな孔６１から用紙２に向かってエアー６’を吹き出すようになっている。
【００２７】
孔６１の大きさは例えば孔径φ1mm程度であり、本実施形態では、複数の孔６１がエアー吹付装置６の長手方向に沿って15mm程度の所定ピッチで並べて設けられる。各孔６１から吹き出すエアー６’により用紙２を圧胴３上に非接触で押さえ、挙動を安定させることができる。
【００２８】
保持具１１は、照明装置４の筐体４０の側面に取付可能な治具である。保持具１１は管状のエアー吹付装置６を通すための孔１１ａを有し、本実施形態では図２（ｂ）に示すように筐体４０の長手方向に複数（図の例では２つ）取り付けられる。これらの保持具１１の孔１１ａにエアー吹付装置６を通すことで、エアー吹付装置６の長手方向を照明装置４の長手方向に合わせて平行に配置し、保持することができる。
【００２９】
図２（ａ）の矢印Ｂに示すようにエアー吹付装置６を孔１１ａ内で回転させることで、孔６１の向き（エアー６’の吹出方向）をエアー吹付装置６の管周方向に回転させることができる。これによりエアー６’の吹出方向を調整した後、押しネジ１１ｂ（固定部）を締込んでその先端をエアー吹付装置６に押し当ててエアー吹付装置６を固定し、エアー６’の吹出方向を位置決めできる。エアー６’の吹出方向は、用紙２を好適に押さえることができるように定められる。押しネジ１１ｂを緩めればエアー吹付装置６が回転可能となり、エアー６’の吹出方向の再調整が可能である。
【００３０】
以上説明したように、本実施形態のエアー吹付機構１０では、管状の小型のエアー吹付装置６を照明装置４に直接取付けて用いることで、照明装置４とエアー吹付装置６の設置に必要なスペースが小さくなり印刷機等に対する設置自由度が高く、設置スペースが小さい印刷機等においても好適に用いることができる。また設置に必要な印刷機等の改造も少なくて済み経済的である。照明装置４は用紙２の撮影位置に向けて配置し用紙２を照明するものなので、用紙２の撮影位置近傍にエアーを吹付けるエアー吹付装置６を照明装置４に取付けることは、エアー吹付の目的に鑑みても合理的である。
【００３１】
さらに、本実施形態ではエアー吹付装置６を保持具１１の孔１１ａに通してエアー吹付装置６の孔６１の向きを回転可能に保持させることにより、紙押さえ等の目的に応じてエアー６’の吹出方向を簡単に調整できる。エアー６’の吹出方向の調整後は、押しネジ１１ｂを用いてエアー吹付装置６を固定可能である。
【００３２】
しかしながら、本発明はこれに限ることはない。例えば、本実施形態では照明装置４の両側にエアー吹付装置６を配置しているが、図３のエアー吹付機構付き照明装置４ｂに示すように、照明装置４の片側のみにエアー吹付装置６を配置してもよい。ただし、照明装置４の両側にエアー吹付装置６を配置することで、より確実に用紙２の挙動を安定させ、バタつきを防ぐことができる。
【００３３】
また本実施形態では圧胴３に沿って搬送される用紙２を撮影し印刷絵柄の検査を行っており、従って圧胴３の近傍にエアー吹付機構付き照明装置４ａを設置しているが、これに限ることはない。例えば渡し胴９など、その他のロールによって搬送される途中の用紙２を撮影して検査を行ってもよい。エアー吹付機構付き照明装置４ａもこれに合わせて各種のロールの近傍に設置し得る。
【００３４】
さらに、本実施形態ではオフセット枚葉印刷機１００の例を説明したが、本発明はこれに限らず、対象物の照明とエアーの吹付けを行う印刷機等の装置であれば適用可能である。
【００３５】
また保持具１１の具体的形状も照明装置４への取付けやエアー吹出方向の調整ができるものであればよく、図２等で説明したものに限らず様々に考えられる。例えば保持具１１自体が回転することにより前記と同様にエアー吹出方向の調整ができるような機構としてもよい。またエアー吹出装置６を固定するための固定部も、上記した押しネジ１１ｂに限ることはない。
【００３６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００３７】
２；用紙
３；圧胴
４；照明装置
４ａ、４ｂ；エアー吹付機構付き照明装置
５；カメラ
６；エアー吹付装置
６’；エアー
７；版胴
８；ブランケット胴
９；渡し胴
１０；エアー吹付機構
１１；保持具
１１ａ；孔
１１ｂ；押しネジ
３１；咥え爪
６１；孔
１００；オフセット枚葉印刷機
１１０；給紙部
１２０；印刷部
１２０ａ；印刷ユニット
１３０；排紙部
【図１】
2017019110.tif 000003
【図２】
2017019110.tif 000004
【図３】
2017019110.tif 000005
【図４】
2017019110.tif 000006